(57)【要約】【課題】  照明器具の点灯制御に用いられる通信ネットワークをより容易に拡張可能な照明システムを提供すること。【解決手段】  照明システムＡ１は、各々に複数の照明器具Ｌが属する複数の通信ネットワークＮｔと、複数の通信ネットワークＮｔと個別に通信可能である複数の個別通信部１５および制御部１１を有するサーバＳｖと、を備え、サーバＳｖが有する複数の個別通信部１５の数は、複数の通信ネットワークＮｔの数に応じて増減可能である。【選択図】  図１
2019220269.tif 000002
【特許請求の範囲】
【請求項１】
各々に複数の照明器具が属する複数の通信ネットワークと、
前記複数の通信ネットワークと個別に通信可能である複数の個別通信部および制御部を有するサーバと、を備え、
前記サーバが有する前記複数の個別通信部の数は、前記複数の通信ネットワークの数に応じて増減可能であることを特徴とする、照明システム。
【請求項２】
前記個別通信部は、モジュール側コネクタを有する個別通信モジュールとして構成されており、
前記サーバは、前記モジュール側コネクタが脱着自在に接続される複数のサーバ側コネクタを有する、請求項１に記載の照明システム。
【請求項３】
前記サーバは、記憶部および主通信部をさらに有し、
前記主通信部と通信可能である操作側通信部、操作部、表示部および制御部を有するコントローラを備えており、
前記サーバの前記制御部は、前記記憶部に記憶された前記複数の照明器具の照明状態を表す情報である照明状態情報に基づいて、操作画面情報を生成し、
前記コントローラの前記制御部は、前記サーバの前記主通信部から前記操作側通信部に受信した前記操作画面情報に基づいて、前記表示部の表示内容を構成する、請求項１または２に記載の照明システム。
【請求項４】
前記通信ネットワークは、前記サーバの前記個別通信部および前記照明器具の前記照明側通信部と通信可能である通信中継器を有しており、
前記複数の照明器具の前記照明側通信部は、相互に直接通信可能であることにより無線メッシュネットワークを構築している、請求項１ないし３のいずれかに記載の照明システム。
【請求項５】
複数の前記サーバと、
前記複数のサーバの前記主通信部と通信可能である主通信部を有するマスターサーバと、を備え、
前記コントローラの前記操作側通信部は、前記マスターサーバの前記主通信部と通信する、請求項１ないし４のいずれかに記載の照明システム。
【発明の詳細な説明】
【技術分野】
【０００１】
本発明は、照明システムに関する。
【背景技術】
【０００２】
複数の照明器具を所望の点灯状態に制御可能な照明システムが種々に提案されている。特許文献１には、従来の照明システムの一例が開示されている。当該照明システムは、各々が通信部を有する複数の照明器具と中央処理装置とが、１つの通信ネットワークに属する構成とされている。操作盤等からの操作情報に基づいて、中央処理装置は、通信ネットワークを経由して該当する照明器具の点灯状態を制御する情報を送信する。
【先行技術文献】
【特許文献】
【０００３】
【特許文献１】特開２０１３−２０１０８７号公報
【発明の概要】
【発明が解決しようとする課題】
【０００４】
しかしながら、通信ネットワークの通信規格等に起因して、１つの通信ネットワークに属する通信部の個数には、一般的に上限が存在する。このため、個別に点灯制御可能な照明器具の個数が制限されてしまうという問題があった。
【０００５】
本発明は、上記した事情のもとで考え出されたものであって、照明器具の点灯制御に用いられる通信ネットワークをより容易に拡張可能な照明システムを提供することをその課題とする。
【課題を解決するための手段】
【０００６】
本発明によって提供される照明システムは、各々に複数の照明器具が属する複数の通信ネットワークと、前記複数の通信ネットワークと個別に通信可能である複数の個別通信部および制御部を有するサーバと、を備え、前記サーバが有する前記複数の個別通信部の数は、前記複数の通信ネットワークの数に応じて増減可能であることを特徴としている。
【０００７】
本発明の好ましい実施の形態においては、前記個別通信部は、モジュール側コネクタを有する個別通信モジュールとして構成されており、前記サーバは、前記モジュール側コネクタが脱着自在に接続される複数のサーバ側コネクタを有する。
【０００８】
本発明の好ましい実施の形態においては、前記サーバは、記憶部および主通信部をさらに有し、前記主通信部と通信可能である操作側通信部、操作部、表示部および制御部を有するコントローラを備えており、前記サーバの前記制御部は、前記記憶部に記憶された前記複数の照明器具の照明状態を表す情報である照明状態情報に基づいて、操作画面情報を生成し、前記コントローラの前記制御部は、前記サーバの前記主通信部から前記操作側通信部に受信した前記操作画面情報に基づいて、前記表示部の表示内容を構成する。
【０００９】
本発明の好ましい実施の形態においては、前記通信ネットワークは、前記サーバの前記個別通信部および前記照明器具の前記照明側通信部と通信可能である通信中継器を有しており、前記複数の照明器具の前記照明側通信部は、相互に直接通信可能であることにより無線メッシュネットワークを構築している。
【００１０】
本発明の好ましい実施の形態においては、複数の前記サーバと、前記複数のサーバの前記主通信部と通信可能である主通信部を有するマスターサーバと、を備え、前記コントローラの前記操作側通信部は、前記マスターサーバの前記主通信部と通信する。
【発明の効果】
【００１１】
本発明によれば、照明器具の点灯制御に用いられる通信ネットワークをより容易に拡張することができる。
【００１２】
本発明のその他の特徴および利点は、添付図面を参照して以下に行う詳細な説明によって、より明らかとなろう。
【図面の簡単な説明】
【００１３】
【図１】本発明の第１実施形態に係る照明システムを示すシステム構成図である。
【図２】本発明の第１実施形態に係る照明システムのサーバの一例を示す斜視図である。
【図３】本発明の第１実施形態に係る照明システムのサーバの一例を示す要部分解斜視図である。
【図４】本発明の第１実施形態に係る照明システムのサーバの一例を示す要部斜視図である。
【図５】本発明の第１実施形態に係る照明システムの照明器具を示すシステム構成図である。
【図６】本発明の第１実施形態に係る照明システムのシーケンス図である。
【図７】本発明の第１実施形態に係る照明システムのコントローラの操作処理の一例を示すフローチャートである。
【図８】本発明の第１実施形態に係る照明システムのコントローラの操作画面（全エリア）の一例を示す図である。
【図９】本発明の第１実施形態に係る照明システムの操作画面情報の生成処理の一例を示すフローチャートである。
【図１０】本発明の第１実施形態に係る照明システムのコントローラの操作画面（特定エリア）の一例を示す図である。
【図１１】本発明の第１実施形態に係る照明システムの照明指示情報の一例を示す説明図である。
【図１２】本発明の第１実施形態に係る照明システムの照明状態情報の一例を示す説明図である。
【図１３】本発明の第１実施形態に係る照明システムの変形例を示すシステム構成図である。
【図１４】本発明の第１実施形態に係る照明システムの変形例のシーケンス図である。
【図１５】本発明の第２実施形態に係る照明システムを示すシステム構成図である。
【図１６】本発明の第２実施形態に係る照明システムのコントローラの操作画面（全エリア）の一例を示す図である。
【図１７】本発明の第２実施形態に係る照明システムのコントローラの操作画面（特定エリア）の一例を示す図である。
【発明を実施するための形態】
【００１４】
以下、本発明の好ましい実施の形態につき、図面を参照して具体的に説明する。
【００１５】
＜第１実施形態＞
図１は、本発明の第１実施形態に係る照明システムを示している。本実施形態の照明システムＡ１は、サーバＳｖ、コントローラＣｔおよび複数の照明器具Ｌを備えている。照明システムＡ１は、屋内等における任意の箇所に配置された複数の照明器具Ｌを複数の通信ネットワークＮｔを用いて点灯制御するシステムである。
【００１６】
＜コントローラＣｔ＞
コントローラＣｔは、当該システムの使用者が複数の照明器具Ｌの点灯状態を所望の状態に変更するための操作を行うためのものである。照明システムＡ１においては、１つのコントローラＣｔを備えているが、コントローラＣｔの個数は特に限定されない。本実施形態においては、コントローラＣｔは、制御部２１、操作部２２、電源部２３および操作側通信部２４を有しており、たとえばタブレット端末やスマートフォンと称される携帯型情報処理端末である。
【００１７】
制御部２１は、操作部２２、電源部２３および操作側通信部２４の動作等を制御するためのものである。また、制御部２１は、操作部２２からの操作に基づいて、コマンドＣＩを生成し、このコマンドＣＩを操作側通信部２４に送信させる制御を行う。
【００１８】
操作部２２は、使用者が操作入力を行う部位であり、本実施形態においては、いわゆるタッチパネルによって構成されている。このため、操作部２２は、表示部を兼ねている。なお、表示部が操作部２２とは別体として構成されていてもよい。
【００１９】
電源部２３は、制御部２１、操作部２２および操作側通信部２４等を駆動させるための電力を供給する。電源部２３の具体的な構成は特に限定されず、たとえば充電式バッテリー（二次電池）や乾電池等が例示される。
【００２０】
操作側通信部２４は、サーバＳｖと無線通信するためのものである。操作側通信部２４が行う無線通信の方式等は特に限定されず、電波を用いた無線通信や赤外線を用いた通信等であってもよい。本実施形態においては、操作側通信部２４は、電波を用いた無線通信を行う。操作側通信部２４の無線通信の規格等は、特に限定されず、たとえば、IEEE802.11に準拠するWi-FiやIEEE802.15.1に準拠するBluetooth（登録商標）、ISO/IEC14543に準拠するEnOcean（登録商標）、９２０ＭＨｚ帯無線通信等が例示される。なお、本実施形態においては、操作側通信部２４の無線通信形式は、たとえばWi-Fiが用いられる。操作側通信部２４は、コマンドＣＩの送信や操作画面情報ＤＩの受信等を行う。
【００２１】
＜サーバＳｖ＞
サーバＳｖは、コントローラＣｔになされた操作に基づいて、複数の照明器具Ｌを点灯制御するものである。本実施形態においては、サーバＳｖは、制御部１１、記憶部１２、入力部１３、表示部１４、複数の個別通信部１５および主通信部１６を有する。サーバＳｖは、たとえば複数の照明器具Ｌが設置された建築物のいずれかの任意の場所に設置されるが、別の建築物に設置されていてもよい。
【００２２】
制御部１１は、サーバＳｖによる制御を行う中枢部位である。制御部１１は、たとえばＣＰＵからなる。制御部１１は、たとえば操作画面情報ＤＩの生成処理を行う。
【００２３】
記憶部１２は、サーバＳｖによる点灯制御に必要となる情報が適宜記憶される部位であり、たとえばハードディスクや半導体メモリからなる。記憶部１２には、後述する照明指示情報ＩＬおよび照明状態情報ＳＬの各種項目の設定値等や、操作画面情報ＤＩを生成するための情報が記憶されている。また、複数の照明器具Ｌの時間帯ごとの調光率を制御する、いわゆるスケジュール制御の設定値が記憶されていてもよい。
【００２４】
入力部１３は、サーバＳｖに対する操作入力を行うためのものであり、たとえばキーボードである。
【００２５】
表示部１４は、サーバＳｖに対する操作入力の内容や、サーバＳｖの諸状態を表示するためのものであり、たとえば液晶ディスプレイである。
【００２６】
複数の個別通信部１５は、複数の照明器具Ｌと無線通信を行うためのものである。以降の説明においては、複数の個別通信部１５を個別通信部１５１，１５２と区別して説明する場合がある。複数の個別通信部１５各々は、複数の通信ネットワークＮｔの特定のものと個別に通信する。たとえば、個別通信部１５１は、通信ネットワークＮｔ１のみと通信を行い、個別通信部１５２は、通信ネットワークＮｔ２のみと通信を行う。このような個別通信部１５の無線通信形式は特に限定されず、たとえば、IEEE802.11に準拠するWi-FiやIEEE802.15.1に準拠するBluetooth（登録商標）、ISO/IEC14543に準拠するEnOcean（登録商標）、９２０ＭＨｚ帯無線通信等が例示される。なお、本実施形態においては、個別通信部１５の無線通信形式は、たとえばBluetooth（登録商標）が用いられる。
【００２７】
主通信部１６は、コントローラＣｔの操作側通信部２４と無線通信を行うためのものである。主通信部１６の無線通信形式は特に限定されず、たとえば、IEEE802.11に準拠するWi-FiやIEEE802.15.1に準拠するBluetooth（登録商標）、ISO/IEC14543に準拠するEnOcean（登録商標）、９２０ＭＨｚ帯無線通信等が例示される。なお、本実施形態においては、主通信部１６の無線通信形式は、たとえばWi-Fiが用いられる。なお、本実施形態とは異なり、複数の個別通信部１５のいずれかが主通信部１６の機能を兼ねる構成であってもよい。
【００２８】
図２〜図４は、サーバＳｖの具体的な構成の一例を示している。図２に示すように、図示された例のサーバＳｖは、ケース１９１、カバー１９２および蓋部１９３を有する。ケース１９１およびカバー１９２は、上述した制御部１１、記憶部１２、入力部１３、表示部１４、複数の個別通信部１５および主通信部１６を収容しており、たとえば樹脂からなる。蓋部１９３は、カバー１９２の開口部分を塞いでおり、カバー１９２に対して使用者が適宜脱着可能である。サーバＳｖは、たとえば建築物の壁面等に取付可能である。
【００２９】
図３に示すように、図示された例においては、サーバＳｖは、複数の個別通信ユニット１５０および複数のサーバ側コネクタ１９５を有する。
【００３０】
個別通信ユニット１５０は、個別通信部１５がモジュール化されたものであり、個別通信部１５の通信機能を果たすための制御部およびアンテナ部（いずれも図示略）およびモジュール側コネクタ１５９を有する。モジュール側コネクタ１５９は、たとえばＵＳＢ形式のコネクタであり、サーバ側コネクタ１９５に脱着自在に接続される。なお、モジュール側コネクタ１５９のコネクタ形式は、何ら限定されない。
【００３１】
複数のサーバ側コネクタ１９５は、個別通信ユニット１５０が脱着自在に接続されるものであり、たとえばＵＳＢ形式のコネクタである。なお、サーバ側コネクタ１９５のコネクタ形式は、何ら限定されない。複数のサーバ側コネクタ１９５の個数は、特に限定されず、図示された例においては、３つのサーバ側コネクタ１９５を備えている。また、図示された状態においては、２つのサーバ側コネクタ１９５に２つの個別通信ユニット１５０が接続されている。これにより、サーバＳｖは、個別通信部１５１および個別通信部１５２を有しており、通信ネットワークＮｔ１および通信ネットワークＮｔ２と通信可能である。
【００３２】
図３の情報に示す個別通信ユニット１５０は、３つ目のサーバ側コネクタ１９５に接続可能である。この個別通信ユニット１５０をサーバ側コネクタ１９５に接続すると、図４に示すように、サーバＳｖは、２つの個別通信ユニット１５０を有するものとなる。これにより、サーバＳｖは、個別通信部１５１、個別通信部１５２および個別通信部１５３を有する構成に変更される。
【００３３】
＜照明器具Ｌ＞
照明器具Ｌは、設置箇所の周囲を照らすための器具である。照明器具Ｌの種類や具体的構成は特に限定されない。照明器具Ｌは、たとえば屋内の天井や壁面に取り付けられたり、床面に載置されたりする。図５に示すように、本実施形態においては、照明器具Ｌは、制御部３１、発光部３２、電源部３３および照明側通信部３４を有する。
【００３４】
制御部３１は、照明側通信部３４によって受信した照明指示情報ＩＬに基づいて、照明器具Ｌの照明状態を制御するものである。制御部３１の構成は特に限定されず、たとえば集積回路素子やＬＥＤドライバ、あるいは記憶部としての半導体メモリを有する。制御部３１による照明器具Ｌの照明状態の制御は、たとえば照明器具ＬをＯＮまたはＯＦＦさせる点灯制御や、発光部３２の調光率（発光状態）を制御する発光制御が含まれる。発光部３２による調光率の制御（発光制御）は、たとえばＰＷＭ制御によって行われる。記憶部には、後述する照明指示情報ＩＬや照明状態情報ＳＬの各項目の設定値等が適宜記憶されている。また、記憶部には、照明器具Ｌを特定するアドレス情報である照明器具ＩＤが記憶されていてもよい。
【００３５】
発光部３２発光する部位であり、種々の光源デバイスを有する。本実施形態においては、発光部３２は、ＬＥＤを有する。ＬＥＤの個数は、特に限定されない。また、発光部３２は、複数種類のＬＥＤを有するものであってもよい。
【００３６】
発光部３２が有するＬＥＤに流す電流によりＬＥＤの輝度は変化し、その結果として照明器具Ｌが発する光の全光束も変化する。このような光の調節を調光といい、ＬＥＤに流す電流を最大とした時を１００％として全光束を相対表示したものを調光率という。以降の説明においては、発光部３２の全光束を大きくすることを調光率を上げる（上昇させる、増大させる）と称し、発光部３２の光の全光束を小さくすることを調光率を下げる（下降させる、減少させる）と称する。
【００３７】
電源部３３は、発光部３２を発光させるための電力を供給するものである。電源部３３は、たとえば商用の１００Ｖ交流電力を発光部３２に適した直流電力に変換する。電源部３３は、制御部３１によって制御される。
【００３８】
照明側通信部３４は、無線通信によって照明指示情報ＩＬを受信したり、照明状態情報ＳＬを送信したりする部位である。照明側通信部３４による無線通信形式は特に限定されない。本例においては、同一の通信ネットワークＮｔに属する複数の照明器具Ｌが、独自のマルチホップ無線メッシュネットワークを構築する。このような照明器具Ｌを実現する照明側通信部３４の無線通信形式としては、たとえばBluetooth（登録商標）が用いられる。照明側通信部３４には、照明器具Ｌを特定するアドレス情報である照明器具ＩＤが記憶されていてもよい。
【００３９】
次に、照明システムＡ１における照明状態の制御や動作について、以下に説明する。
【００４０】
図６は、図１に示すシステム構成の照明システムＡ１の動作を示すシーケンス図である。上述したように、コントローラＣｔの操作側通信部２４は、サーバＳｖの主通信部１６と無線通信可能である。サーバＳｖの個別通信部１５１は、通信ネットワークＮｔ１の複数の照明器具Ｌのいずれかと個別に無線通信可能であり、個別通信部１５２は、通信ネットワークＮｔ２の複数の照明器具Ｌのいずれかと個別に無線通信可能である。通信ネットワークＮｔ１においては、通信ネットワークＮｔ１に属する複数の照明器具Ｌがマルチホップ無線メッシュネットワークを構築して相互通信可能である。通信ネットワークＮｔ２においては、通信ネットワークＮｔ２に属する複数の照明器具Ｌがマルチホップ無線メッシュネットワークを構築して相互通信可能である。
【００４１】
図７は、コントローラＣｔを用いた操作処理の一例を示すフローチャートである。たとえば、コントローラＣｔがＯＮ状態とされ、電源部２３から制御部２１に電力が供給されると（ステップＳ０）、操作部２２には、図８に示す画面が表示される。
【００４２】
図８に示す操作部２２の操作画面は、サーバＳｖからコントローラＣｔに送信された操作画面情報ＤＩの一種によって構築されている。この操作画面情報ＤＩは、たとえば、コントローラＣｔからサーバＳｖに関連付けられた所定のＵＲＬにアクセスすることにより、サーバＳｖからコントローラＣｔへとたとえばＨＴＭＬ形式のデータとしてダウンロードされる。当該表示は、エリア表示部２２１および操作選択部２２２を含む。エリア表示部２２１は、操作すべきエリアを選択する部位であり、図示された例においては、「西館Ａ」、「西館Ｂ」、「東館Ａ」、「東館Ｂ」の４つのエリアが表示されている。本実施形態においては、各エリアは、複数の通信ネットワークＮｔのいずれかに対応する。エリアが４つある場合、通信ネットワークＮｔ１〜Ｎｔ４が構築されている。操作選択部２２２は、全館のすべての照明器具Ｌを対象とした操作入力を行う部位である。図示された例においては、「全点灯」、「全消灯」、「７０％調光」が選択可能である。なお、「調光」を選択すると、「７０％」の欄の数字をテンキー表示等によって変更可能な操作方式としてもよい。
【００４３】
次に、図８のエリア表示部２２１の「西館Ａ」、「西館Ｂ」、「東館Ａ」、「東館Ｂ」いずれかが選択される（ステップＳ１：Ｙｅｓ）と、サーバＳｖによって、図９に示す操作画面情報ＤＩの生成処理がなされる。
【００４４】
図９は、操作画面情報ＤＩの生成処理の一例を示すフローチャートである。
【００４５】
たとえば、サーバＳｖが電源ＯＮされると、当該処理が開始される（ステップＳ１０）。上述したステップＳ１のエリア選択がなされると、コントローラＣｔは、サーバＳｖに操作画面情報ＤＩの要求信号を送信する。サーバＳｖは、この要求信号を受信すると（ステップＳ１１：Ｙｅｓ）、複数の照明器具Ｌの照明状態情報ＳＬを読み出す（ステップＳ１２）。
【００４６】
照明状態情報ＳＬは、照明器具Ｌの状態を示す情報であり、図１１に示すように、たとえばネットワーク状態情報ＳＬ１、照明器具状態情報ＳＬ２、ＯＮ／ＯＦＦ状態情報ＳＬ３および発光調節状態情報ＳＬ４を含む。
【００４７】
ネットワーク状態情報ＳＬ１は、状態収集の対象となる通信ネットワークＮｔを特定する情報であり、通信ネットワークＮｔ１、通信ネットワークＮｔ２・・・通信ネットワークＮｔｎ等の値が割り当てられる。
【００４８】
照明器具状態情報ＳＬ２は、状態収集の対象となる照明器具Ｌを特定する情報である。照明器具状態情報ＳＬ２には、照明器具Ｌ１、照明器具Ｌ２・・・照明器具Ｌｎ等の値が割り当てられる。
【００４９】
ＯＮ／ＯＦＦ状態情報ＳＬ３は、情報収集の対象となる照明器具Ｌの点灯状態を示す情報である。具体的には、ＯＮ／ＯＦＦ状態情報ＳＬ３には、ＯＮまたはＯＦＦの情報が割り当てられる。
【００５０】
発光調節状態情報ＳＬ４は、情報収集の対象となる照明器具Ｌの発光状態を示す情報である。発光調節状態情報ＳＬ４の具体的な内容は特に限定されず、本実施形態において、照明器具Ｌの発光部３２が上述の例示した構成である場合、発光調節状態情報ＳＬ４は、この照明器具Ｌの調光率を示す情報が割り当てられ、たとえば１０％ｕｐ、２０％ｕｐ、０％、２０％・・・８０％、１００％等の値が適宜割り当てられる。なお、発光調節状態情報ＳＬ４は、調光率以外の発光状態に関する情報であってもよく、たとえば発光部３２の色温度を調節する情報であってもよい。
【００５１】
図６に示すように、たとえば通信ネットワークＮｔ１においては、複数の照明器具Ｌがマルチホップ無線メッシュネットワークを介して、それぞれの照明状態情報ＳＬをサーバＳｖの個別通信部１５１へと送信する。図示された例においては、照明器具Ｌｎの照明状態情報ＳＬが、照明器具Ｌｎ、照明器具Ｌ１、照明器具Ｌ２と順次送信された後に、通信サーバＳｖの個別通信部１５１へと送信されている。また、図示された例の通信ネットワークＮｔ２においては、照明器具Ｌ２の照明状態情報ＳＬが、照明器具Ｌ２、照明器具Ｌ１、照明器具Ｌｎと順次送信された後に、サーバＳｖの個別通信部１５２へと送信されている。このように、通信ネットワークＮｔ１、通信ネットワークＮｔ２についてそれぞれに属する照明器具Ｌの照明状態情報ＳＬをサーバＳｖの個別通信部１５１および個別通信部１５２が受信する。サーバＳｖの制御部１１は、これらの照明状態情報ＳＬを記憶部１２に記憶する。
【００５２】
図９のステップＳ１２で照明状態情報ＳＬの読み出しが完了すると、サーバＳｖの制御部１１は、ステップＳ１３を実行し、表示するエリア（ステップＳ１で選択されたエリア）の操作画面情報ＤＩを生成する。操作画面情報ＤＩの生成は、ステップＳ１２おいて収集され、たとえば記憶部１２に記憶された照明状態情報ＳＬに基づいて、該当するエリア（通信ネットワークＮｔ）に属する複数の照明器具Ｌの状態に基づいた操作画面情報ＤＩをＨＴＭＬ形式のデータとして生成する。
【００５３】
次いで、ステップＳ１４においては、たとえばコントローラＣｔが、サーバＳｖに関連付けられた所定のＵＲＬにアクセスすること等により、操作画面情報ＤＩがコントローラＣｔに送信される。すなわち、コントローラＣｔは、操作画面情報ＤＩをダウンロードする。これにより、サーバＳｖから、コントローラＣｔへの操作画面情報ＤＩの送信が完了する（ステップＳ１５）。なお、ステップＳ１１：Ｎｏの場合は、たとえばステップＳ１１を繰り返す。
【００５４】
コントローラＣｔの制御部２１は、ステップＳ１４でダウンロードしたたとえばＨＴＭＬ形式の操作画面情報ＤＩに基づいて、図１０に示す操作部２２の表示を構築する。当該表示は、図８に示す表示に対する操作入力により、「西館Ａ」が選択された場合を示している。当該表示は、器具表示部２２３および操作選択部２２４を含む。器具表示部２２３は、該当するエリア（通信ネットワークＮｔ）に属する複数の照明器具Ｌの点灯状態を示している。図中において、白色の細長い長方形は、対応する照明器具Ｌが点灯していることを意味し、濃色の細長い長方形は、対応する照明器具Ｌが消灯していることを意味する。また、ハーフトーンの細長い長方形を表示することにより、たとえば５０％の調光率で発光する照明器具Ｌを意味する構成としてもよい。たとえば、図示された長方形にタッチすると、当該長方形に対応する照明器具Ｌが選択された状態となる。この場合、１つのみの照明器具Ｌを選択してもよいし、複数の照明器具Ｌが選択可能であってもよいし、当該エリアのすべての照明器具Ｌが選択可能であってもよい。
【００５５】
図７のフローチャートに戻り、ステップＳ１：Ｙｅｓに続くステップＳ２では、コントローラＣｔの制御部２１は、図１０の操作部２２の器具表示部２２３から任意の照明器具Ｌが選択されたかを判断する。いずれかの照明器具Ｌが選択されると（ステップＳ２：Ｙｅｓ）、該当する照明器具Ｌが選択されたことが視認できるように、器具表示部２２３における照明器具Ｌの表示状態を変更し、ステップＳ３を実行する。
【００５６】
ステップＳ３では、図１０の操作選択部２２４を用いた操作入力に基づいた処理を行う。操作選択部２２４は、選択された照明器具Ｌを対象とした操作入力を行う部位である。図示された例においては、「点灯」、「消灯」、「７０％調光」が選択可能である。なお、「調光」を選択すると、「７０％」の欄の数字をテンキー表示等によって変更可能な操作方式としてもよい。
【００５７】
一方、ステップＳ２において照明器具Ｌが選択されず（ステップＳ２：Ｎｏ）、操作選択部２２４での操作入力が行われた場合、制御部２１は、対象エリア（「西館Ａ」）のすべての照明器具Ｌを対象として、ステップＳ４を行う。ステップＳ４は、ステップＳ３と同様に、操作選択部２２４を用いた操作入力に基づいた処理を行う。
【００５８】
なお、ステップＳ１でエリアが選択されていない場合（ステップＳ１：Ｎｏ）、ステップＳ５にて、図８の操作選択部２２２に対する操作入力がなされる。この操作入力では、たとえば、「全点灯」、「全消灯」、「７０％調光」のいずれかが選択される。
【００５９】
図７のステップＳ３、ステップＳ４およびステップＳ５のいずれかを完了すると、コントローラＣｔの制御部２１は、ステップＳ６を実行する。ステップＳ６では、コントローラＣｔの制御部２１は、操作部２２からの操作入力に対応したコマンドＣＩを生成し、操作側通信部２４を通じて主通信部１６に送信する。サーバＳｖは、受信したコマンドＣＩから、コントローラＣｔに対して行われた操作を判断し、これに応じた照明指示情報ＩＬを生成する。
【００６０】
図１２に示すように、照明指示情報ＩＬは、たとえばネットワーク指示情報ＩＬ１、照明器具指示情報ＩＬ２、ＯＮ／ＯＦＦ指示情報ＩＬ３および発光調節指示情報ＩＬ４を含む。
【００６１】
ネットワーク指示情報ＩＬ１は、操作対象である照明器具Ｌが属する通信ネットワークＮｔを特定する情報であり、通信ネットワークＮｔ１、通信ネットワークＮｔ２・・・通信ネットワークＮｔｎ等の値が割り当てられる。
【００６２】
照明器具指示情報ＩＬ２は、操作対象である照明器具Ｌを特定する情報である。照明器具指示情報ＩＬ２には、照明器具Ｌ１、照明器具Ｌ２・・・照明器具Ｌｎ等の値が割り当てられる。
【００６３】
ＯＮ／ＯＦＦ指示情報ＩＬ３は、操作対象である照明器具Ｌの点灯状態を制御するための情報である。具体的には、ＯＮ／ＯＦＦ指示情報ＩＬ３には、コントローラＣｔの操作にしたがって、ＯＮまたはＯＦＦの情報が割り当てられる。
【００６４】
発光調節指示情報ＩＬ４は、操作対象である照明器具Ｌの発光状態を制御するための情報である。発光調節指示情報ＩＬ４の具体的な内容は特に限定されず、本実施形態において、照明器具Ｌの発光部３２が上述の例示した構成である場合、発光調節指示情報ＩＬ４は、この照明器具Ｌの調光率を増減させる情報が割り当てられ、たとえば１０％ｕｐ、２０％ｕｐ、１０％ｄｏｗｎ、２０％ｄｏｗｎ、等の値が適宜割り当てられる。なお、発光調節指示情報ＩＬ４は、調光率以外の発光状態に関する情報であってもよく、たとえば発光部３２の色温度を調節する情報であってもよい。
【００６５】
次いで、ステップＳ７にて処理終了である場合（ステップＳ７：Ｙｅｓ）、照明指示情報ＩＬの生成処理が終了する（ステップＳ８）。ステップＳ７で処理を終了しない場合（ステップＳ７：Ｎｏ）、ステップＳ１が再び実行され、照明指示情報ＩＬの生成処理が継続する。
【００６６】
図６に示すように、サーバＳｖで生成された照明指示情報ＩＬは、選択されたエリア（通信ネットワークＮｔ）の選択された照明器具Ｌへと送信される。たとえば、通信ネットワークＮｔ１の照明器具Ｌｎが点灯制御の対象として選択されている場合、照明指示情報ＩＬは、サーバＳｖの個別通信部１５１から、通信ネットワークＮｔ１に属する複数の照明器具Ｌに対してマルチホップ無線メッシュネットワークによって照明指示情報ＩＬが送信される。たとえば、サーバＳｖの個別通信部１５１から照明器具Ｌ２、照明器具Ｌ１、照明器具Ｌｎへと照明指示情報ＩＬが送信される。当該照明指示情報ＩＬを受信した照明器具Ｌｎでは、制御部３１が、照明器具指示情報ＩＬ２の特定情報（ＩＤ）が自己のＩＤと一致しているため、ＯＮ／ＯＦＦ指示情報ＩＬ３または発光調節指示情報ＩＬ４に設定された情報に対応した点灯制御を発光部３２に行う。これにより、対象とした照明器具Ｌ（通信ネットワークＮｔ１の照明器具Ｌｎ）の点灯制御が完了する。
【００６７】
また、他の例として、たとえば、通信ネットワークＮｔ２の照明器具Ｌ２が点灯制御の対象として選択されている場合、照明指示情報ＩＬは、サーバＳｖの個別通信部１５２から、通信ネットワークＮｔ２に属する複数の照明器具Ｌに対してマルチホップ無線メッシュネットワークによって照明指示情報ＩＬが送信される。たとえば、サーバＳｖの個別通信部１５２から照明器具Ｌｎ、照明器具Ｌ１、照明器具Ｌ２へと照明指示情報ＩＬが送信される。これにより、照明器具Ｌ２の点灯制御がなされる。
【００６８】
次に、照明システムＡ１の作用について説明する。
【００６９】
本実施形態によれば、サーバＳｖの複数の個別通信部１５は、複数の通信ネットワークＮｔと個別に通信可能である。また、複数の個別通信部１５は、構築すべき複数の通信ネットワークＮｔの数に応じて増減可能である。このため、制御対象となるエリアが増加する場合、サーバＳｖの個別通信部１５を増加することにより、制御対象となるエリアに対応して、複数の通信ネットワークＮｔの数を増加することが可能である。したがって、照明器具Ｌの点灯制御に用いられる通信ネットワークをより容易に拡張することができる。
【００７０】
図３および図４に示すように、図示された例においては、複数の個別通信部１５の各々は、互いに独立した個別通信ユニット１５０として構成されている。個別通信ユニット１５０は、モジュール側コネクタ１５９をサーバＳｖのサーバ側コネクタ１９５に脱着自在に接続可能である。このため、サーバＳｖの複数のサーバ側コネクタ１９５の設置個数を上限として、個別通信ユニット１５０を自在に増減させることが可能である。これは、照明システムＡ１の通信ネットワークの拡張をより容易に行うのに好ましい。
【００７１】
コントローラＣｔの操作部２２の表示内容を定義する操作画面情報ＤＩは、サーバＳｖにて生成され、コントローラＣｔへと送信される。このため、コントローラＣｔは、操作画面情報ＤＩを構築するためのデータ等を記憶しておく必要がない。また、操作画面情報ＤＩがＨＴＭＬ形式のデータからなる場合、コントローラＣｔは、一般的なＷｅｂブラウザによって、操作部２２の表示を実現することが可能であり、専用のソフトウエアやハードウエアは必要ない。したがって、コントローラＣｔとして、一般的ないわゆるタブレット端末やスマートフォン等を用いることが可能であり、システムの構築コストを低減することができる。
【００７２】
また、コントローラＣｔのデータバックアップ等も不要である。さらに、エリアや通信ネットワークＮｔが増加した場合であっても、図８のエリア表示部２２１の選択可能数を増加させ、図１０に示す各通信ネットワークＮｔに対応する操作部２２の操作画面を増加させればよい。このため、通信ネットワークＮｔの増加に伴って、大幅な操作画面の修正が強いられず、システムの維持コストを低減することができる。
【００７３】
同一の通信ネットワークＮｔに含まれる複数の照明器具Ｌは、マルチホップ無線メッシュネットワークによって、照明指示情報ＩＬや照明状態情報ＳＬを相互に送受信する。このため、個々の照明器具Ｌの配置をより自由に行うことができる。また、たとえばBluetooth（登録商標）を用いたマルチホップ無線メッシュネットワークの場合、当該通信ネットワークＮｔに属することができる複数の照明器具Ｌの個数が制限される。しかし、照明システムＡ１においては、上述した通り、通信ネットワークＮｔを増加させることによる通信ネットワークの拡張が容易である。したがって、複数の照明器具Ｌの増設を容易に行うことができる。
【００７４】
図１３〜図１７は、本発明の変形例および他の実施形態を示している。なお、これらの図において、上記実施形態と同一または類似の要素には、上記実施形態と同一の符号を付している。
【００７５】
＜第１実施形態  第１変形例＞
図１３および図１４は、照明システムＡ１の変形例を示している。本変形例の照明システムＡ１１は、複数の通信中継器Ｒを備える点が、上述した照明システムＡ１と異なっている。
【００７６】
＜通信中継器Ｒ＞
通信中継器Ｒは、通信ネットワークＮｔに属しており、サーバＳｖの個別通信部１５と通信ネットワークＮｔとの通信を実現するためのものである。本変形例においては、複数の通信中継器Ｒを備えることにより、サーバＳｖの複数の個別通信部１５と複数の通信ネットワークＮｔとが、個別に通信可能とされている。図１３に示すように、以降の説明においては、複数の通信中継器Ｒは、通信中継器Ｒ１および通信中継器Ｒ２に区別される。通信中継器Ｒ１は、サーバＳｖの個別通信部１５１と個別に通信するものであり、通信ネットワークＮｔ１に属する。通信中継器Ｒ２は、サーバＳｖの個別通信部１５２と個別に通信するものであり、通信ネットワークＮｔ２に属する。
【００７７】
通信中継器Ｒは、サーバＳｖの個別通信部１５と無線通信するための機能を果たす。また、通信中継器Ｒは、複数の照明器具Ｌと無線通信する機能を果たす。通信中継器ＲとサーバＳｖの個別通信部１５との無線通信形式は特に限定されず、本例においてはたとえばWi-Fiが用いられる。通信中継器Ｒと複数の照明器具Ｌとの通信は特に限定されず、複数の照明器具Ｌがマルチホップ無線メッシュネットワークを構築して無線通信する場合、たとえばBluetooth（登録商標）が用いられる。なお、本実施形態とは異なり、通信中継器Ｒが、複数の照明器具Ｌのいずれかに内蔵された構成であってもよい。
【００７８】
図１４は、図１３に示すシステム構成の照明システムＡ１１の動作を示すシーケンス図である。上述したように、コントローラＣｔの操作側通信部２４は、サーバＳｖの主通信部１６と無線通信可能である。サーバＳｖの個別通信部１５１は、通信ネットワークＮｔ１の通信中継器Ｒ１と個別に無線通信可能であり、個別通信部１５２は、通信ネットワークＮｔ２の通信中継器Ｒ２と個別に無線通信可能である。通信ネットワークＮｔ１においては、通信中継器Ｒ１と通信ネットワークＮｔ１に属する複数の照明器具Ｌのいずれかとが無線通信可能であり、通信ネットワークＮｔ１に属する複数の照明器具Ｌがマルチホップ無線メッシュネットワークを構築して相互通信可能である。通信ネットワークＮｔ２においては、通信中継器Ｒ２と通信ネットワークＮｔ２に属する複数の照明器具Ｌのいずれかとが無線通信可能であり、通信ネットワークＮｔ２に属する複数の照明器具Ｌがマルチホップ無線メッシュネットワークを構築して相互通信可能である。
【００７９】
このような変形例によっても、照明器具Ｌの点灯制御に用いられる通信ネットワークをより容易に拡張することができる。また、通信中継器Ｒ１および通信中継器Ｒ２を備え、個別通信部１５１および通信中継器Ｒ１の通信や個別通信部１５２および通信中継器Ｒ２の通信をWi-Fiによって行うことにより、サーバＳｖと通信中継器Ｒ１および通信中継器Ｒ２との設置距離を延長することが可能である。これは、より広い場所に照明システムＡ１１を構築するのに有利である。
【００８０】
＜第２実施形態＞
図１５は、本発明の第２実施形態に係る照明システムを示している。本実施形態の照明システムＡ２は、主にマスターサーバＭｓと複数のサーバＳｖとを備える点が、上述した実施形態と異なる。
【００８１】
マスターサーバＭｓは、複数のサーバＳｖの上位に位置するものであり、複数のサーバＳｖを統合制御する。本実施形態においては、マスターサーバＭｓは、制御部４１、記憶部４２、入力部４３、表示部４４および主通信部４５を有する。マスターサーバＭｓは、たとえばサーバＳｖよりも照明器具Ｌから更に離れた建築物等に設置されていてもよい。
【００８２】
制御部４１は、マスターサーバＭｓによる制御を行う中枢部位である。制御部４１は、たとえばＣＰＵからなる。
【００８３】
記憶部４２は、マスターサーバＭｓによる統合制御に必要となる情報が適宜記憶される部位であり、たとえばハードディスクや半導体メモリからなる。
【００８４】
入力部４３は、マスターサーバＭｓに対する操作入力を行うためのものであり、たとえばキーボードである。
【００８５】
表示部４４は、マスターサーバＭｓに対する操作入力の内容や、マスターサーバＭｓの諸状態を表示するためのものであり、たとえば液晶ディスプレイである。
【００８６】
主通信部４５は、複数のサーバＳｖの主通信部１６と通信を行うためのものである。主通信部４５の通信形式は特に限定されない。ただし、マスターサーバＭｓが、複数のサーバＳｖから顕著に離れた場所に設置される等の場合には、主通信部４５の通信形式は、たとえば、IEEE802.11に準拠するWi-Fi等の無線通信や有線通信が好ましい。なお、主通信部４５が無線通信方式である場合、主通信部４５は、コントローラＣｔの操作側通信部２４との通信を併せて行ってもよい。一方、主通信部４５が有線通信方式である場合、マスターサーバＭｓはコントローラＣｔの操作側通信部２４と無線通信可能な別の通信部を備えればよい。
【００８７】
図示された例においては、照明システムＡ２は、複数のサーバＳｖを備えており、図中においては、サーバＳｖ１、サーバＳｖ２およびサーバＳｖ３とされている。サーバＳｖ１、サーバＳｖ２およびサーバＳｖ３の各々は、上述した実施形態のサーバＳｖと同様の構成であり、複数の通信ネットワークＮｔ（たとえば、通信ネットワークＮｔ１および通信ネットワークＮｔ２）と個別に通信可能である。
【００８８】
図１６は、照明システムＡ２のコントローラＣｔの操作画面の一例を示している。同図の操作部２２には、エリア表示部２２５および操作選択部２２６が表示されている。
【００８９】
エリア表示部２２５は、操作すべきエリアを選択する部位であり、図示された例においては、「西館Ａ」、「西館Ｂ」、「本館Ａ」、「本館Ｂ」、「東館Ａ」、「東館Ｂ」の６つのエリアが表示されている。本実施形態においては、各エリアは、複数のサーバＳｖの複数の通信ネットワークＮｔのいずれかに対応する。たとえば、３つのサーバＳｖ１，Ｓｖ２，Ｓｖ３のそれぞれが２つずつの通信ネットワークＮｔ１，Ｎｔ２と個別に通信可能である場合、エリア表示部２２５に表示されるエリア数は６つとなる。操作選択部２２６は、全館のすべての照明器具Ｌを対象とした操作入力を行う部位である。図示された例においては、「全点灯」、「全消灯」、「７０％調光」が選択可能である。なお、「調光」を選択すると、「７０％」の欄の数字をテンキー表示等によって変更可能な操作方式としてもよい。
【００９０】
エリア表示部２２５において、いずれかのエリアが選択されると、コントローラＣｔの操作部２２は、図１７に示す操作画面を表示する。当該操作画面は、選択されたエリアの通信ネットワークＮｔと通信可能であるサーバＳｖから送信された操作画面情報ＤＩに基づいて構築されている。同図の操作部２２は、器具表示部２２７および操作選択部２２８を表示している。器具表示部２２７は、図１０の器具表示部２２３に相当し、制御対象である照明器具Ｌを選択する部位である。操作選択部２２８は、図１０の操作選択部２２４に相当し、制御内容を選択する部位である。
【００９１】
本実施形態において、サーバＳｖ１，Ｓｖ２，Ｓｖ３の通信ネットワークＮｔ１，Ｎｔ２内では、複数の照明器具Ｌが上述した実施形態と同様に、マルチホップ無線メッシュネットワークを用いて相互に通信可能な構成であってもよい。
【００９２】
本実施形態によっても、通信ネットワークをより容易に拡張することができる。また、サーバＳｖの個数が増減可能であることにより、通信ネットワークの変更をより大幅に行うことができる。また、各通信ネットワークＮｔの照明状態情報ＳＬは、対応するサーバＳｖに記憶されていればよく、マスターサーバＭｓに記憶する必要がない。また、各通信ネットワークＮｔに対応した操作画面を構築するための操作画面情報ＤＩは、対応するサーバＳｖによって生成される。このため、マスターサーバＭｓは、多数となる照明器具Ｌの状態監視や操作に関するデータ記憶やデータ生成処理をする必要がなく、マスターサーバＭｓが煩雑な構成となることを回避することができる。
【００９３】
本発明に係る照明システムは、上述した実施形態に限定されるものではない。本発明に係る照明システムの各部の具体的な構成は、種々に設計変更自在である。
【符号の説明】
【００９４】
Ａ１，Ａ１１，Ａ２：照明システム
１１    ：制御部
１２    ：記憶部
１３    ：入力部
１４    ：表示部
１５，１５１，１５２，１５３：個別通信部
１６    ：主通信部
２１    ：制御部
２２    ：操作部
２３    ：電源部
２４    ：操作側通信部
３１    ：制御部
３２    ：発光部
３３    ：電源部
３４    ：照明側通信部
４１    ：制御部
４２    ：記憶部
４３    ：入力部
４４    ：表示部
４５    ：主通信部
１５０  ：個別通信ユニット
１５９  ：モジュール側コネクタ
１９１  ：ケース
１９２  ：カバー
１９３  ：蓋部
１９５  ：サーバ側コネクタ
２２１  ：エリア表示部
２２２  ：操作選択部
２２３  ：器具表示部
２２４  ：操作選択部
２２５  ：エリア表示部
２２６  ：操作選択部
２２７  ：器具表示部
２２８  ：操作選択部
Ｃｔ    ：コントローラ
ＤＩ    ：操作画面情報
ＩＬ    ：照明指示情報
ＩＬ１  ：ネットワーク指示情報
ＩＬ２  ：照明器具指示情報
ＩＬ３  ：ＯＦＦ指示情報
ＩＬ４  ：発光調節指示情報
ＣＩ    ：コマンド
Ｌ，Ｌ１，Ｌ２，Ｌｎ：照明器具
Ｍｓ    ：マスターサーバ
Ｎｔ，Ｎｔ１，Ｎｔ２，Ｎｔ３，Ｎｔ４，Ｎｔｎ：通信ネットワーク
Ｒ，Ｒ１，Ｒ２：通信中継器
Ｓ０，Ｓ１，Ｓ１０，Ｓ１１，Ｓ１２，Ｓ１３，Ｓ１４，Ｓ１５，Ｓ２，Ｓ３，Ｓ４，Ｓ５，Ｓ６，Ｓ７，Ｓ８：ステップ
ＳＬ    ：照明状態情報
ＳＬ１  ：ネットワーク状態情報
ＳＬ２  ：照明器具状態情報
ＳＬ３  ：ＯＦＦ状態情報
ＳＬ４  ：発光調節状態情報
Ｓｖ，Ｓｖ１，Ｓｖ２，Ｓｖ３  ：サーバ
【図１】
2019220269.tif 000003
【図２】
2019220269.tif 000004
【図３】
2019220269.tif 000005
【図４】
2019220269.tif 000006
【図５】
2019220269.tif 000007
【図６】
2019220269.tif 000008
【図７】
2019220269.tif 000009
【図８】
2019220269.tif 000010
【図９】
2019220269.tif 000011
【図１０】
2019220269.tif 000012
【図１１】
2019220269.tif 000013
【図１２】
2019220269.tif 000014
【図１３】
2019220269.tif 000015
【図１４】
2019220269.tif 000016
【図１５】
2019220269.tif 000017
【図１６】
2019220269.tif 000018
【図１７】
2019220269.tif 000019